(57)【要約】      （修正有）【課題】槽体下のスペースが省略でき、誤作動や故障がなく、施工作業が簡単な遠隔操作式排水栓装置を提供する。【解決手段】弁体９を、弁体９に設けた回り止め羽部１３と、排水口２に設けたスライド溝嵌合させ昇降可能とし、弁体９の内周面に刻設された雌ねじ１１と、該雌ねじと螺合する雄ねじ１２の下端に設けたピニオン１５とからなる排水栓を構成し、該ピニオン１５をレリースワイヤ５に設けたラック８により回動させ、弁体９を昇降させる構成とした。【選択図】図６
2007284994.tif 000002
【特許請求の範囲】
【請求項１】
内部に水を貯水／排水する槽体１と、
槽体１の底部に開口されて、槽体１内の水を槽体１外へ排出する為の排水口２と、
排水口２に配置されて、自身の昇降により排水口２の開閉を行う弁体９と、
槽体１の適宜箇所に構成された弁体９を開閉するために操作する操作部４と、
操作部４から弁体９まで連絡する、可撓性を有した円筒状のアウターチューブ６、アウターチューブ６内に進退自在に収納されるインナーワイヤ７、から構成されるレリースワイヤ５と、
から構成される遠隔操作式排水栓装置において、
前記弁体９を、
弁体９の下面中心に垂下して構成される円筒状の弁軸１０、
弁軸１０の内周面に螺旋状に刻設される雌ねじ１１、
弁軸１０内部に配置され前記雌ねじ１１と螺合するよう螺旋状に刻設された雄ねじ１２、
弁軸１０内部に内蔵され常時弁体９と雄ねじ１２とを離間方向に付勢するスプリング１４、
雄ねじ１２の下端に接続されて弁軸１０に対し水平方向に配置される丸歯車状のピニオン１５、
から構成し、
更に、前記レリースワイヤ５に、
インナーワイヤ７の操作部４とは反対側の端部に構成された前記ピニオン１５にかみ合う平ギア状のラック８を設けて、
弁体９の下面に構成された回り止め羽部１３を構成するとともに、排水口２内部に構成された前記回り止め羽部１３と嵌合するスライド溝３を構成したことを特徴とする遠隔操作式排水栓装置。
【請求項２】
前記遠隔操作式排水栓装置は、操作部４に配置されて、前記レリースワイヤ５のインナーワイヤ７の進退を保持する保持機構部１６を備えたことを特徴とする前記請求項１に記載の遠隔操作式排水栓装置。
【請求項３】
前記遠隔操作式排水栓装置は、前記弁体９、弁軸１０、雄ねじ１２、雌ねじ１１、スプリング１４、ピニオン１５、ラック８を一つのユニット１７として構成されて取り付けられることを特徴とする前記請求項１又は請求項２に記載の遠隔操作式排水栓装置。
【請求項４】
前記遠隔操作式排水栓装置の槽体１が、洗面ボウルであることを特徴とする前記請求項１乃至請求項３のいずれか一つに記載の遠隔操作式排水栓装置。
【請求項５】
前記遠隔操作式排水栓装置の槽体１が、浴槽であることを特徴とする前記請求項１乃至請求項３のいずれか一つに記載の遠隔操作式排水栓装置。
【発明の詳細な説明】
【技術分野】
【０００１】
本発明は、槽体などの排水口の開閉を遠隔的に操作することのできる遠隔操作式排水栓装置に関するものである。
【背景技術】
【０００２】
従来よく知られた、遠隔操作式排水栓装置としては、例えば図８乃至図１０に図示した遠隔操作式排水栓装置がある。以下に図８乃至図１０に図示した遠隔操作式排水栓装置の従来例を、図面を参照しつつ説明する。
図８乃至図１０に図示した従来例の遠隔操作式排水栓装置は、以下に記載した槽体と、排水口と、弁体と、操作部と、レリースワイヤと、保持機構部と、から構成されてなる。
槽体は、内部に水を貯水／排水するための箱体であり、本実施例では洗面ボウルを採用している。
排水口は、槽体の底部に配置され、槽体内の水を槽体外へ排出する為の開口である。尚、本従来例では、排水口下端に排水管を接続してなる。当該排水管は、槽体内部の排水を最終的には下水へと排水するための管体であって、排水管途中にはＵ字状に屈曲して構成される排水トラップを構成する。
弁体は、排水口内部に配置されて、自身の昇降により排水口の閉栓／開栓を行う水密部材である。尚、当該弁体は下面中心から垂下されて構成される弁軸を構成する。
操作部は、槽体の適宜箇所に構成され、前記弁体を開口／閉口するために操作するツマミ状のボタンである。槽体の上縁部に配置される。
レリースワイヤは、可撓性を有した円筒状のアウターチューブと、当該アウターチューブ内に進退自在に収納されるコイル状の金属線から成るインナーワイヤと、から構成される。当該インナーワイヤの一方の端部には、前記弁体を押し上げるための金属製のロッドが構成されている。尚、当該レリースワイヤは、操作部から弁体の下方まで連絡するように構成して成る。
保持機構部は、レリースワイヤのインナーワイヤの進退を保持する部材であって、本従来例では従来から公知の例えばボールペンの芯の進退保持機構などに用いられるスラストロック機構を用いる。そして、弁体の下方にジャバラ状の水密パッキンを介して取り付けられる。
【０００３】
上記した遠隔操作式排水栓装置は以下のようにして槽体である洗面ボウルに施工される。
槽体の排水口下端に排水管を接続する。次に排水管中の排水が保持機構部に進入しないようにジャバラ状の水密パッキンを介して、保持機構部を排水口の直下位置に配置する。操作部を槽体のカウンターなど槽体の上縁付近にとりつけ、前記レリースワイヤを操作部と保持機構部間に連絡して接続する。
更に弁体を排水口内部に配置させ、且つ弁軸を、水密パッキンを介して保持機構部の軸に当接するよう載置して遠隔操作式排水栓装置の施工が完了する。
【０００４】
このようにして施工された遠隔操作式排水栓装置は以下のように動作する。
まず操作部に操作を加えて、排水栓が排水口を閉口した状態とする。この時、操作部に設けられた保持機構部はレリースワイヤ中のインナーワイヤの動作を固定していないため、弁体は自重によって降下し、排水口を閉口している。
次に操作ボタンに操作を加えて保持機構部を作動させ、インナーワイヤが弁体の方に突出した状態で固定させると、インナーワイヤが突出したことで、先端のロッドが上昇し、その先端に連絡されている弁体を持ち上げ、排水口が開口される。
この状態より再度操作ボタンに操作を加えて、操作部内の保持機構部を作動させ、インナーワイヤの固定を解除すると、弁体の自重が働いてインナーワイヤが後退し、弁体が降下して排水口が閉口される。
以後この操作を繰り返すことで、排水口の開閉を操作部によって遠隔的且つ自在に操作することができる。
【０００５】
また、その他の従来例として、例えば図１１に図示した遠隔操作式排水栓装置がある。以下に図１１に図示した遠隔操作式排水栓装置の従来例を、図面を参照しつつ説明する。
図１１に図示した従来例の遠隔操作式排水栓装置は、以下に記載した槽体と、排水口と、弁体と、操作部と、レリースワイヤと、弁支持部材と、保持機構部と、から構成されてなる。
槽体は、内部に水を貯水／排水するための箱体であり、本実施例では浴槽を槽体として採用している。
排水口は、槽体の底部に配置され、槽体内の水を槽体外へ排出する為の開口である。この排水口内部は、後記する弁支持部材を支持する箇所を構成する。尚、本従来例では、排水口下端に排水管を接続してなる。当該排水管は、槽体内部の排水を最終的には下水へと排水するための管体であって、排水管途中（洗い場側）には内部に封水を有したワン型排水トラップを構成する。
弁体は、排水口内部に配置されて、自身の昇降により排水口の閉栓／開栓を行う水密部材である。尚、当該弁体は下面中心に後述するインナーワイヤの接続箇所を構成する。
操作部は、槽体の適宜箇所に構成され、前記弁体を開口／閉口するために操作するスイッチ状のボタンである。槽体の上縁部に配置される。
レリースワイヤは、可撓性を有した円筒状のアウターチューブと、当該アウターチューブ内に進退自在に収納されるコイル状の金属線から成るインナーワイヤと、から構成される。当該インナーワイヤの一方の端部には、前記弁体を押し上げるための金属製のロッドが構成され、弁体の下面中心部に構成された接続箇所に当該ロッドが脱着自在に取り付けられている。尚、当該レリースワイヤは、操作部から弁体の下方まで連絡するように構成して成る。
弁支持部材は、排水口内部に取り付けられ、前記レリースワイヤのインナーワイヤを排水口に対して昇降自在に固定するための部材である。
保持機構部は、レリースワイヤのインナーワイヤの進退を保持する部材であって、本従来例では従来から公知の例えばボールペンの芯の進退保持機構などに用いられるスラストロック機構を用いる。尚、本従来例ではレリースワイヤの操作部側に取り付けられる。
【０００６】
上記した遠隔操作式排水栓装置は以下のようにして槽体である浴槽に施工される。
槽体の排水口下端に排水管を接続する。次にレリースワイヤを操作部側から排水口側へ向けて挿入し、保持機構部を操作部側の適宜箇所に配置固定する。その後、排水口からレリースワイヤを引っ張り出し、弁支持部材とレリースワイヤの端部を接続する。そして弁支持部材を排水口に取り付け、レリースワイヤのインナーワイヤのロッドに弁体を接続する。そして、操作部を槽体のカウンターなど槽体の上縁付近にとりつけ、遠隔操作式排水栓装置の施工が完了する。
【０００７】
このようにして施工された遠隔操作式排水栓装置のレリースワイヤは以下のように動作する。
まず操作部に操作を加えて、排水栓が排水口を閉口した状態とする。この時、操作部に設けられた保持機構部はレリースワイヤ中のインナーワイヤの動作を固定していないため、弁体は降下し、排水口を閉口している。
次に操作ボタンに操作を加えて保持機構部を作動させ、インナーワイヤが弁体の方に突出した状態で固定させると、インナーワイヤが突出したことで、先端のロッドが上昇し、その先端に連絡されている弁体を持ち上げ、排水口が開口される。
この状態より再度操作ボタンに操作を加えて、操作部内の保持機構部を作動させ、インナーワイヤの固定を解除すると、インナーワイヤに備えられているリターンスプリングが作動してインナーワイヤが後退し、インナーワイヤの後退に併せて弁体が降下して排水口が閉口される。
以後この操作を繰り返すことで、排水口の開閉を操作部によって遠隔的且つ自在に操作することができる。
【０００８】
【特許文献１】特開２００４−０６８３２７号公報
【特許文献２】特開２００２−０８８８５３号公報
【発明の開示】
【発明が解決しようとする課題】
【０００９】
従来例のような遠隔操作式排水栓装置は、以下のような問題点があった。
従来の遠隔操作式排水栓装置は、レリースワイヤを操作部から弁体まで直接的に連絡していたことから、レリースワイヤを排水口下で大きく屈曲させなければならず、洗面ボウルや浴槽などの槽体の排水機器下のスペースが必要になっていた。
また、レリースワイヤを屈曲させなければならないことから、レリースワイヤの屈曲部分の曲げ角度が小さくなってしまい、レリースワイヤが挫屈してしまうことがあった。レリースワイヤが挫屈してしまうと、インナーワイヤが正常に進退しないようになってしまい誤作動の原因となってしまう。
また、従来の遠隔操作式排水栓装置は構造が複雑な為、施工の際に熟練した作業者でないと取付の際にレリースワイヤの挫屈が発生してしまうことが多々あった。
【００１０】
従って、本発明の遠隔操作式排水栓装置は、以下の課題を解決するために発明された。
１．従来の遠隔操作式排水栓装置より槽体下のスペースが省略できること。
２．従来の遠隔操作式排水栓装置よりレリースワイヤの屈曲がないこと。
３．レリースワイヤの誤作動や故障がないこと。
４．従来の遠隔操作式排水栓装置より施工作業が簡単なこと。
【課題を解決するための手段】
【００１１】
請求項１に記載の本発明は、内部に水を貯水／排水する槽体１と、槽体１の底部に開口されて、槽体１内の水を槽体１外へ排出する為の排水口２と、排水口２に配置されて、自身の昇降により排水口２の開閉を行う弁体９と、槽体１の適宜箇所に構成された弁体９を開閉するために操作する操作部４と、操作部４から弁体９まで連絡する、可撓性を有した円筒状のアウターチューブ６、アウターチューブ６内に進退自在に収納されるインナーワイヤ７、から構成されるレリースワイヤ５と、から構成される遠隔操作式排水栓装置において、前記弁体９を、弁体９の下面中心に垂下して構成される円筒状の弁軸１０、弁軸１０の内周面に螺旋状に刻設される雌ねじ１１、弁軸１０内部に配置され前記雌ねじ１１と螺合するよう螺旋状に刻設された雄ねじ１２、弁軸１０内部に内蔵され常時弁体９と雄ねじ１２とを離間方向に付勢するスプリング１４、雄ねじ１２の下端に接続されて弁軸１０に対し水平方向に配置される丸歯車状のピニオン１５、から構成し、更に、前記レリースワイヤ５に、インナーワイヤ７の操作部４とは反対側の端部に構成された前記ピニオン１５にかみ合う平ギア状のラック８を設けて、弁体９の下面に構成された回り止め羽部１３を構成するとともに、排水口２内部に構成された前記回り止め羽部１３と嵌合するスライド溝３を構成したことを特徴とする遠隔操作式排水栓装置である。
【００１２】
請求項２に記載の本発明は、操作部４に配置されて、前記レリースワイヤ５のインナーワイヤ７の進退を保持する保持機構部１６を備えたことを特徴とする前記段落００１１に記載の遠隔操作式排水栓装置である。
【００１３】
請求項３に記載の本発明は、前記弁体９、弁軸１０、雄ねじ１２、雌ねじ１１、スプリング１４、ピニオン１５、ラック８を一つのユニット１７として構成されて取り付けられることを特徴とする前記段落００１１又は段落００１２に記載の遠隔操作式排水栓装置である。
【００１４】
請求項４に記載の本発明は、遠隔操作式排水栓装置の槽体１が、洗面ボウルであることを特徴とする前記段落００１１乃至段落００１３のいずれか一つに記載の遠隔操作式排水栓装置である。
【００１５】
請求項５に記載の本発明は、前記遠隔操作式排水栓装置の槽体１が、浴槽であることを特徴とする前記段落００１１乃至段落００１３のいずれか一つに記載の遠隔操作式排水栓装置である。
【発明の効果】
【００１６】
本発明の遠隔操作式排水栓装置は、以下の効果を奏する。
請求項１に記載の本発明は、弁体９を、弁体９の下面中心に垂下して構成される円筒状の弁軸１０、弁軸１０の内周面に螺旋状に刻設される雌ねじ１１、弁軸１０内部に配置され前記雌ねじ１１と螺合するよう螺旋状に刻設された雄ねじ１２、弁軸１０内部に内蔵され常時弁体９と雄ねじ１２とを離間方向に付勢するスプリング１４、雄ねじ１２の下端に接続されて弁軸１０に対し水平方向に配置される丸歯車状のピニオン１５、から構成し、更に、前記レリースワイヤ５に、インナーワイヤ７の操作部４とは反対側の端部に構成された前記ピニオン１５にかみ合う平ギア状のラック８を設けて、弁体９の下面に構成された回り止め羽部１３を構成するとともに、排水口２内部に構成された前記回り止め羽部１３と嵌合するスライド溝３を構成したことから、レリースワイヤ５を屈曲して弁体９側へ接続する必要がないので、槽体１の排水口２下にレリースワイヤ５の屈曲部分分のスペースが必要ないのでスペースが増加する。また、レリースワイヤ５に屈曲が加わらないので、レリースワイヤ５の屈曲による挫屈が発生せず、従ってレリースワイヤ５の誤作動がない。
とすることができる。
請求項２に記載の本発明は、操作部４に配置されて、前記レリースワイヤ５のインナーワイヤ７の進退を保持する保持機構部１６を備えたことから、レリースワイヤ５のインナーワイヤ７の進退を保持することができる。
請求項３に記載の本発明は、前記弁体９、弁軸１０、雄ねじ１２、雌ねじ１１、スプリング１４、ピニオン１５、ラック８を一つのユニット１７として構成されて取り付けられることから、施工時に当該ユニット１７を取り付けるだけで良いから、施工者の熟練度合いに関係なく誰でも取り付けることが出来る。
請求項４及び請求項５に記載の本発明は、前記遠隔操作式排水装置が使用される箇所が洗面ボウルとしたり浴槽とすることができる。
【実施例】
【００１７】
以下に本発明の実施例を、図面を参照しつつ説明する。
図１乃至図７に図示した本実施例の遠隔操作式排水栓装置は、以下に記載した槽体１と、排水口２と、弁体９と、操作部４と、レリースワイヤ５と、保持機構部１６と、から構成されてなる。
槽体１は、図７に示したように内部に水を貯水／排水するための箱体であり、本実施例では洗面ボウルを採用している。
排水口２は、槽体１の底部に配置され、槽体１内の水を槽体１外へ排出する為の開口である。また、排水口２内部には後述する弁体９の回り止め羽部１３が嵌合するスライド溝３を構成して成る。尚、本実施例では、排水口２下端に排水管１８を接続してなる。当該排水管１８は、槽体１内部の排水を最終的には下水へと排水するための管体であって、排水管１８途中にはＵ字状に屈曲して構成される排水トラップを構成する。
弁体９は、排水口２内部に配置されて、自身の昇降により排水口２の閉栓／開栓を行う水密部材である。尚、弁体９は下記弁軸１０、雄ねじ１２、スプリング１４、ピニオン１５、回り止め羽部１３から構成される。
弁軸１０は、弁体９下面中心から円筒状に垂下されて構成され、当該弁軸１０の内周面には螺旋状に刻設された雌ねじ１１を構成する。
雄ねじ１２は、上記弁軸１０の雌ねじ１１と螺合する螺旋を外周に刻設し、前記弁軸１０内に配置される。
スプリング１４は、常時弁体９と雄ねじ１２とを離間方向に付勢するように前記弁軸１０の雄ねじ１２内に配置される。尚、特に図示しないが、スプリング１４の作用によって弁体９が排水口２から飛び出さないようストッパーを設けている。
ピニオン１５は、前記雄ねじ１２下方に接続される丸歯状の歯車であって、弁軸１０に対し水平方向に配置される。
回り止め羽部１３は、弁体９の下面から下方へ垂下して構成される羽体であって、前記排水口２内のスライド溝３内にスライド嵌合するように構成される。
操作部４は、槽体１の適宜箇所に構成され、前記弁体９を開口／閉口するために操作するツマミ状のボタンである。槽体１の上縁部に配置される。
レリースワイヤ５は、可撓性を有した円筒状のアウターチューブ６と、当該アウターチューブ６内に進退自在に収納されるコイル状の金属線から成るインナーワイヤ７と、から構成される。
当該インナーワイヤ７の一方の端部には、前記ピニオン１５の歯車に合致して作動する平ギア状のラック８を構成する。当該ラック８は、インナーワイヤ７の進退に併せて弁軸１０に対し水平方向に作動する。当該レリースワイヤ５は、操作部４から弁体９の下方の水平方向に向かって連絡するように構成して成る。このようにレリースワイヤ５を配置することから、従来のように弁体９下でレリースワイヤ５の屈曲を行わなくても良く、排水口２下のデッドスペースが減少する。また、レリースワイヤ５の無理な屈曲が無くなるため、レリースワイヤ５の挫屈が無くなり、レリースワイヤ５の誤作動が減少する。
保持機構部１６は、レリースワイヤ５のインナーワイヤ７の進退を保持する部材であって、本実施例では図示しないが従来から公知の例えばボールペンの芯の進退保持機構などに用いられるスラストロック機構を用いる。そして、レリースワイヤ５の操作部４側に取り付けられる。
また、前記弁体９、弁軸１０、雄ねじ１２、雌ねじ１１、スプリング１４、ピニオン１５、ラック８を一つのユニット１７として構成している。一つのユニット１７として構成したことから、施工の際に施工者の熟練度合いに頼らなくても簡単に取り付けることが出来る。
【００１８】
上記した遠隔操作式排水栓装置は以下のようにして槽体１である洗面ボウルに施工される。
槽体１の排水口２下端に排水管１８を接続する。次に排水管１８中の排水がユニット１７内に進入しないように水密パッキンを介してユニット１７を排水口２下方の排水管１８付近に取り付け、排水口２の直下位置に配置する。そして、操作部４を槽体１のカウンターなど槽体１の上縁付近にとりつけ、レリースワイヤ５を操作部４に接続する。このようにユニット１７として構成したことで施工が大変簡単になる。
更に弁体９を排水口２内部に配置させ、遠隔操作式排水栓装置の施工が完了する。
【００１９】
このようにして施工された遠隔操作式排水栓装置は以下のように動作する。
まず操作部４に操作を加えて、弁体９が排水口２を閉口した状態とする。この時、図２、図４、図６（ａ）に示したように、操作部４に設けられた保持機構部１６はレリースワイヤ５中のインナーワイヤ７の動作を固定しているため、インナーワイヤ７は排水口２側へ前進した形で保持される。このとき、インナーワイヤ７先端のラック８も併せて排水口２側へ前進した形でロックされ、それにあわせてピニオン１５に接続された雄ねじ１２と弁軸１０の雌ねじ１１は螺合状態となっている。そして、雄ねじ１２内のスプリング１４は弁体９と雄ねじ１２とを離間方向に付勢するように収縮されて保持される。このような状態時が弁体９が閉口している状態となる。
次に操作部４に操作を加えて保持機構部１６を作動させ、インナーワイヤ７の保持固定を解除すると、図３、図５、図６（ｂ）に示したように、弁軸１０内のスプリング１４が雄ねじ１２と弁体９方向へ離間するように反発し、そのスプリング１４の反発力でインナーワイヤ７が後退する。このインナーワイヤ７の後退に併せてインナーワイヤ７の先端のラック８も後退する。そうするとラック８に噛み合っているピニオン１５がラック８の後退に併せて回転する。するとピニオン１５の回転に併せて雄ねじ１２が回転し、弁軸１０との螺合を解除する。このとき、弁体９自身は、回り止め羽部１３が排水口２のスライド溝３にスライド嵌合しているので回転することはなく、この弁体９が回転しないことから、雄ねじ１２と雌ねじ１１の回転作用により、弁体９が上昇し、排水口２が開口する。
この状態より再度操作ボタンに操作を加えて、操作部４内の保持機構部１６を作動させ、インナーワイヤ７を前進させて保持すると、図２、図４、図６（ａ）に示したようにインナーワイヤ７のラック８も前進し、ラック８と噛み合うピニオン１５が上昇方向とは逆回転し、その回転に併せて雄ねじ１２も回転し弁軸１０内のスプリング１４を圧縮しながら弁軸１０の雌ねじ１１と螺合する。そうして弁体９が降下し排水口２が閉口される。
以後この操作を繰り返すことで、排水口２の開閉を操作部４によって遠隔的且つ自在に操作することができる。
【００２０】
本発明の実施例は上記のようであるが、本発明は上記実施例に限定されることなく、発明の要旨を逸脱することない範囲において、自在に変更することができる。
例えば、前記実施例では槽体１を洗面ボウルを使用しているが、例えば浴槽に用いても構わない。
また、前記実施例では保持機構部１６をスラストロック機構から構成したが、インナーワイヤ７を保持できる機構であれば、例えばラッチ機構などを用いても構わない。
また、前記実施例では保持機構部１６を構成しているが、例えば保持機構部１６を備えずに押し引きによる操作で弁体９を開閉する機構としても構わない。
また、前記実施例では前記弁体９、弁軸１０、雄ねじ１２、雌ねじ１１、スプリング１４、ピニオン１５、ラック８を一つのユニット１７として構成しているが、ユニット１７として構成しなくても構わない。
また、前記実施例では、ピニオン１５とラック８などの精密作動部分、そして弁軸１０内部の雌ねじ１１と雄ねじ１２の作動部分の防水処理がなされていないが、これらの部品は精密部材であるため、排水が精密部分に流入して誤作動をおこさないように、例えば筒状の部材を立ち上げたり、水密パッキンを介するなどの手法を用いて防水処理を行うと特に良い。
【図面の簡単な説明】
【００２１】
【図１】本発明の実施例の展開斜視図である。
【図２】本発明の実施例の弁体が閉栓時の部分斜視図である。
【図３】本発明の実施例の弁体が開栓時の部分斜視図である。
【図４】図２の一部切り欠き斜視図である。
【図５】図３の一部切り欠き斜視図である。
【図６】（ａ）  本発明の実施例の弁体の閉栓時の断面図である。（ｂ）  本発明の実施例の弁体が開栓時の断面図である。
【図７】本発明の施工状態を示す側面図である。
【図８】従来例を示す断面図である。
【図９】従来例の保持機構部付近の拡大断面図である。
【図１０】従来例の分解斜視図である。
【図１１】その他の従来例を示す断面図である。
【符号の説明】
【００２２】
１    槽体
２    排水口
３    スライド溝
４    操作部
５    レリースワイヤ
６    アウターチューブ
７    インナーワイヤ
８    ラック
９    弁体
１０  弁軸
１１  雌ねじ
１２  雄ねじ
１３  回り止め羽部
１４  スプリング
１５  ピニオン
１６  保持機構部
１７  ユニット
１８  排水管
【図１】
2007284994.tif 000003
【図２】
2007284994.tif 000004
【図３】
2007284994.tif 000005
【図４】
2007284994.tif 000006
【図５】
2007284994.tif 000007
【図６】
2007284994.tif 000008
【図７】
2007284994.tif 000009
【図８】
2007284994.tif 000010
【図９】
2007284994.tif 000011
【図１０】
2007284994.tif 000012
【図１１】
2007284994.tif 000013